(57)【要約】  【課題】コンベヤ本体を所望の傾斜状態に維持できるコンベヤ装置を提供する。  【解決手段】コンベヤ装置１は、コンベヤ本体２と、コンベヤ本体２を支持する回動調節可能な脚体３とを備える。コンベヤ本体２の脚被固定板13は、脚体３の回動調節の際における回動中心を中心とする円弧状長孔と、円弧状長孔に連続した水平用孔25とを有する。コンベヤ本体２の水平状態時には、多角形部45の角部分44が水平用孔25に嵌入した角根ボルト46に六角ナット50を螺合することにより、脚体３がコンベヤ本体２に対して固定する。  【選択図】図１
2006306575.tif 000002
【特許請求の範囲】
【請求項１】
被搬送物を搬送するコンベヤ本体と、
このコンベヤ本体に回動調節可能に設けられ、前記コンベヤ本体を支持する脚体と、
前記コンベヤ本体に対して前記脚体を固定する固定手段とを備え、
前記コンベヤ本体および前記脚体のいずれか一方は、
前記脚体の回動調節の際における回動中心を中心とする円弧状長孔と、
この円弧状長孔に連続した水平用孔とを有し、
前記固定手段は、
断面多角形状の多角形部が形成されたボルトと、
このボルトに螺合されるナットとを有し、
前記コンベヤ本体の水平状態時には、前記多角形部の角部分が前記水平用孔に嵌入したボルトに前記ナットが螺合されることにより、前記脚体が前記コンベヤ本体に対して固定され、
前記コンベヤ本体の傾斜状態時には、前記多角形部が前記円弧状長孔の所望位置に位置したボルトに前記ナットが螺合されることにより、前記脚体が前記コンベヤ本体に対して固定される
ことを特徴とするコンベヤ装置。
【請求項２】
水平用孔は、円弧状長孔から上方に向って膨出状に形成された上三角状孔部と、前記円弧状長孔から下方に向って膨出状に形成された下三角状孔部とにて構成されている
ことを特徴とする請求項１記載のコンベヤ装置。
【請求項３】
固定手段のボルトは、角根ボルトである
ことを特徴とする請求項１または２記載のコンベヤ装置。
【発明の詳細な説明】
【技術分野】
【０００１】
本発明は、傾斜角度の大小に拘わらず、コンベヤ本体を所望の傾斜状態に維持できるコンベヤ装置に関するものである。
【背景技術】
【０００２】
従来のコンベヤ装置は、例えば被搬送物を搬送するコンベヤ本体と、コンベヤ本体の脚被固定板に回動調節可能に設けられコンベヤ本体を支持する脚体と、コンベヤ本体に対して脚体を固定する第１固定具および第２固定具とを備えている。コンベヤ本体の脚被固定板には、脚体の回動調節の際に回動中心となる回動中心孔と、回動中心孔を中心とする円弧状長孔と、回動中心孔に連続した略半円状の第１水平用孔と、第１水平用孔に対応し円弧状長孔に連続した略半円状の第２水平用孔とがそれぞれ形成されている。そして、コンベヤ本体の傾斜状態時には、第１固定具が回動中心孔内に位置するとともに第２固定具が円弧状長孔内に位置し、コンベヤ本体の水平状態時には、第１固定具が第１水平用孔内に位置するとともに第２固定具が第２水平用孔内に位置する（例えば、特許文献１参照）。
【特許文献１】特開２００５−７５５９３号公報
【発明の開示】
【発明が解決しようとする課題】
【０００３】
しかしながら、上記従来のコンベヤ装置では、コンベヤ本体の傾斜角度が小さい角度、例えば５度程度の場合に、固定具のボルトが所望位置からずれて水平用孔内に入り込みやすく、コンベヤ本体を所望の傾斜状態に維持できないおそれがある。
【０００４】
本発明は、このような点に鑑みなされたもので、傾斜角度の大小に拘わらず、コンベヤ本体を所望の傾斜状態に維持できるコンベヤ装置を提供することを目的とする。
【課題を解決するための手段】
【０００５】
請求項１記載のコンベヤ装置は、被搬送物を搬送するコンベヤ本体と、このコンベヤ本体に回動調節可能に設けられ、前記コンベヤ本体を支持する脚体と、前記コンベヤ本体に対して前記脚体を固定する固定手段とを備え、前記コンベヤ本体および前記脚体のいずれか一方は、前記脚体の回動調節の際における回動中心を中心とする円弧状長孔と、この円弧状長孔に連続した水平用孔とを有し、前記固定手段は、断面多角形状の多角形部が形成されたボルトと、このボルトに螺合されるナットとを有し、前記コンベヤ本体の水平状態時には、前記多角形部の角部分が前記水平用孔に嵌入したボルトに前記ナットが螺合されることにより、前記脚体が前記コンベヤ本体に対して固定され、前記コンベヤ本体の傾斜状態時には、前記多角形部が前記円弧状長孔の所望位置に位置したボルトに前記ナットが螺合されることにより、前記脚体が前記コンベヤ本体に対して固定されるものである。
【０００６】
請求項２記載のコンベヤ装置は、請求項１記載のコンベヤ装置において、水平用孔は、円弧状長孔から上方に向って膨出状に形成された上三角状孔部と、前記円弧状長孔から下方に向って膨出状に形成された下三角状孔部とにて構成されているものである。
【０００７】
請求項３記載のコンベヤ装置は、請求項１または２記載のコンベヤ装置において、固定手段のボルトは、角根ボルトであるものである。
【発明の効果】
【０００８】
請求項１に係る発明によれば、コンベヤ本体の傾斜角度が小さい角度の場合でも固定手段のボルトが所望位置からずれて水平用孔内に入り込むようなことがなく、コンベヤ本体を所望の傾斜状態に維持できる。
【０００９】
請求項２に係る発明によれば、上三角状孔部および下三角状孔部にボルトの多角形部の角部分を嵌入させることによってコンベヤ本体の水平状態を適切に維持できる。
【００１０】
請求項３に係る発明によれば、固定手段のボルトである角根ボルトを利用することによってコンベヤ本体を所望の傾斜状態に適切に維持できる。
【発明を実施するための最良の形態】
【００１１】
本発明のコンベヤ装置の一実施の形態を図面を参照して説明する。
【００１２】
図１、図６および図７において、１はコンベヤ装置で、このコンベヤ装置１は、被搬送物Ｗを搬送する長手状のコンベヤ本体２と、コンベヤ本体２の長手方向両端部に水平方向の軸線を中心として回動調節可能に設けられコンベヤ本体２を支持する複数、例えば２つの長さ調節可能な脚体３と、コンベヤ本体２に対して脚体３を固定する固定手段４とを備えている。
【００１３】
コンベヤ本体２は、互いに離間対向した左右一対の長手状のコンベヤフレーム11を有している。両コンベヤフレーム11間には、被搬送物Ｗを搬送する複数本の搬送ローラ12が回転可能に設けられている。また、各コンベヤフレーム11の長手方向両端部には、脚被固定部である脚被固定板（脚取付プレート）13が固定具14、例えば角根ボルトおよびナット等にて固着されている。
【００１４】
ここで、コンベヤ本体２の脚被固定板13は、図１ないし図５に示すように、垂直状の第１板部21と、この第１板部21の上縁部から水平方向に向って突出しコンベヤフレーム11の下面部に固着された第２板部22とにて構成されている。
【００１５】
第１板部21の下部には、正方形状の孔部23が形成されている。第１板部21の略中央には、脚体３の回動調節の際における回動中心（孔部23）を中心とする円弧状長孔24と、この円弧状長孔24に連続した水平用孔25とが形成されている。この水平用孔25は、脚体３がコンベヤ本体２を水平状態に支持する水平支持位置に脚体３を位置決めするためのもので、例えば円弧状長孔24の中央部から上方に向って膨出状に形成された上三角状孔部26と、円弧状長孔24の中央部から下方に向って膨出状に形成された下三角状孔部27とにて構成されている。第２板部22には、複数、例えば５つの固定用孔部29が形成されている。
【００１６】
なお、図２に示されるように、脚被固定板13の円弧状長孔24の角度αは例えば６０度で、脚被固定板13には、円弧状長孔24の上方位置に目印30が円弧状長孔24の長手方向に沿って１０度ごとに間隔をおいて刻印されている。また、コンベヤ本体２は、コンベヤフレーム11、搬送ローラ12および脚被固定板13等にて構成されている。
【００１７】
脚体３は、上下方向に長手状で断面コ字状の脚部材31を有している。脚部材31の上部には、脚被固定板13の孔部23と対向して位置する円形状の第１孔部33と、脚被固定板13の円弧状長孔24と対向して位置する円形状の第２孔部34とが形成されている。
【００１８】
固定手段４は、第１固定具41と第２固定具42とにて構成されている。第１固定具41および第２固定具42は、いずれも、断面多角形状、例えば４つの直角状の角部分44を有する正方形状の多角形部45が形成されたボルトである角根ボルト46と、この角根ボルト46のねじ部47に螺合されるナットである六角ナット50とを有している。角根ボルト46は、例えば特殊角根丸頭ボルトで、丸頭部48と、この丸頭部48に設けられた多角形部45と、この多角形部45に設けられたねじ部47とにて構成されている。
【００１９】
そして、コンベヤ装置１では、図２、図４および図６に示すように、被搬送物Ｗを水平方向へ搬送するコンベヤ本体２の水平状態時には、多角形部45が孔部23に嵌合されねじ部47が脚体３の第１孔部33に挿通された第１固定具41の角根ボルト46のねじ部47に六角ナット50が螺合され、かつ、多角形部45の相対する上下２つの角部分44が水平用孔25の上三角状孔部26および下三角状孔部27にそれぞれ嵌入しねじ部47が脚体３の第２孔部34に挿通された第２固定具42の角根ボルト46のねじ部47に六角ナット50が螺合されることにより、脚体３がコンベヤ本体２に対して水平支持位置に固定される。
【００２０】
また、コンベヤ装置１では、図３、図５および図７に示すように、被搬送物Ｗを水平方向に対して所望の傾斜角度をもって傾斜した傾斜方向へ搬送するコンベヤ本体２の傾斜状態時には、多角形部45が孔部23に嵌合されねじ部47が脚体３の第１孔部33に挿通された第１固定具41の角根ボルト46のねじ部47に六角ナット50が螺合され、かつ、多角形部45が円弧状長孔24の所望位置にその多角形部45の上辺および下辺が円弧状長孔24の長手方向に略沿って配設されるように位置しねじ部47が脚体３の第２孔部34に挿通された第２固定具42の角根ボルト46のねじ部47に六角ナット50が螺合されることにより、脚体３がコンベヤ本体２に対して所望の傾斜支持位置に固定される。
【００２１】
次に、上記コンベヤ装置１の作用等について説明する。
【００２２】
コンベヤ本体２を水平状態にして使用する場合には、多角形部45が孔部23に嵌合されねじ部47が第１孔部33に挿通された第１固定具41の角根ボルト46に六角ナット50を螺合し、かつ、多角形部45の上下２つの角部分44が上三角状孔部26および下三角状孔部27に嵌入しねじ部47が第２孔部34に挿通された第２固定具42の角根ボルト46に六角ナット50を螺合することにより、脚体３をコンベヤ本体２に対して水平支持位置に固定する。
【００２３】
また、コンベヤ本体２を傾斜状態にして使用する場合には、多角形部45が孔部23に嵌合されねじ部47が第１孔部33に挿通された第１固定具41の角根ボルト46に六角ナット50を螺合し、かつ、多角形部45が円弧状長孔24の所望位置にその多角形部45の上辺および下辺が円弧状長孔24の長手方向に略沿って配設されるように位置しねじ部47が第２孔部34に挿通された第２固定具42の角根ボルト46に六角ナット50を螺合することにより、脚体３をコンベヤ本体２に対して所望の傾斜支持位置に固定する。
【００２４】
そして、このコンベヤ装置１によれば、コンベヤ本体２の傾斜状態時におけるコンベヤ本体２の水平方向に対する傾斜角度が小さい角度、例えば５度程度の場合であっても、角根ボルト46が円弧状長孔24の所望位置からずれて水平用孔25内に入り込むようなことがなく、コンベヤ本体２を所望の傾斜状態に確実に維持ができる。また、コンベヤ本体２の水平状態への切換えが容易であるばかりでなく、六角ナット50の緩みが生じても角根ボルト46のずれを規制できる。
【００２５】
なお、上記実施の形態では、コンベヤ本体２の脚被固定板13が脚体３の回動調節の際における回動中心を中心とする円弧状長孔24およびこの円弧状長孔24に連続した水平用孔25を有し、脚体３が第１孔部33および第２孔部34を有した構成について説明したが、例えば脚体３が円弧状長孔24およびこの円弧状長孔24に連続した水平用孔25を有し、コンベヤ本体２の脚被固定板13が第１孔部33および第２孔部34を有した構成とすることもできる。
【００２６】
また、コンベヤ装置１は、複数の搬送ローラ12を備えたローラコンベヤには限定されず、例えば無端状の搬送ベルトを備えたベルトコンベヤ等でもよい。
【００２７】
さらに、固定手段４のボルトは、特殊角根丸頭ボルトには限定されず、断面多角形状の多角形部を有するものであればよく、断面形状が６角形状や８角形状等でもよい。
【００２８】
また、脚被固定板13の孔部23の形状は、正方形状等の多角形状以外に、円形状であってもよい。
【図面の簡単な説明】
【００２９】
【図１】本発明のコンベヤ装置に係る一実施の形態の要部断面図である。
【図２】同上コンベヤ装置の水平状態時の要部側面図である。
【図３】同上コンベヤ装置の傾斜状態時の要部側面図である。
【図４】同上コンベヤ装置の水平状態時の要部斜視図である。
【図５】同上コンベヤ装置の傾斜状態時の要部斜視図である。
【図６】同上コンベヤ装置の水平状態時の全体側面図である。
【図７】同上コンベヤ装置の傾斜状態時の全体側面図である。
【符号の説明】
【００３０】
１    コンベヤ装置
２    コンベヤ本体
３    脚体
４    固定手段
24    円弧状長孔
25    水平用孔
26    上三角状孔部
27    下三角状孔部
44    角部分
45    多角形部
46    ボルトである角根ボルト
50    ナットである六角ナット
Ｗ    被搬送物
【図１】
2006306575.tif 000003
【図２】
2006306575.tif 000004
【図３】
2006306575.tif 000005
【図４】
2006306575.tif 000006
【図５】
2006306575.tif 000007
【図６】
2006306575.tif 000008
【図７】
2006306575.tif 000009